(57)【特許請求の範囲】
【請求項１】
周壁に吸音材が配設され、かつこの吸音材を貫通して上下方向に延びる排気通路を有する消音排気筒と、共鳴孔を有する共鳴室と、を備えている、燃焼器用消音装置であって、
前記共鳴室は、前記吸音材の内部に形成されて、前記排気通路と略平行に上下方向に延びて形成されており、かつ前記共鳴孔は、前記共鳴室の下端に繋がって前記排気通路と略平行に上下方向に延びていることにより前記排気通路に連通していることを特徴とする、燃焼器用消音装置。
【請求項２】
前記共鳴室の内壁は、多孔板により形成されている、請求項１に記載の燃焼器用消音装置。
【請求項３】
周壁に吸音材が配設され、かつこの吸音材を貫通して上下方向に延びる排気通路を有する消音排気筒と、共鳴孔を有する共鳴室と、を備えている、燃焼器用消音装置であって、
前記共鳴室としては、大きさの異なる複数の共鳴室があり、これら複数の共鳴室は、前記消音排気筒の外側に上下方向に並ぶようにして設けられており、前記複数の共鳴室の共鳴孔は、それら複数の共鳴室から水平方向に延びて前記排気通路に連通していることを特徴とする、燃焼器用消音装置。
【発明の詳細な説明】
【０００１】
【発明の属する技術分野】
本発明は、燃焼器の燃焼音を低減させる燃焼器用消音装置に関する。
【０００２】
【従来の技術】
一般に、オイル燃焼器を用いた給湯器においては、燃焼ガスが熱交換器を有する缶体で熱交換した後、排気集合部から煙道を経て排気口より排出されるものであり、燃焼音が大きいという問題があった。
そこで、燃焼音を低減させるための手段が提案されている。
例えば、排気集合部及び煙道の周壁に、グラスウールを充填するものもあるが、グラスウール繊維が飛散して作業環境に悪影響を与えるという問題があり、この問題を解決するために、吸音プラスチックで形成した排気ガイドを排気通路に設けるものが知られている。
【０００３】
また、実開平３−５６０３０号公報に記載されたものは、熱交換器を有する缶体の上部に下方燃料噴射型オイル燃焼器が下向きに配置され、缶体の下部に排気集合部が配置され、排気集合部の上部に缶体と並んで煙道が立設され、煙道の上端に排気口が立設されている下方燃料噴射型オイル燃焼器を用いた逆燃式の給湯器において、排気集合部内に共鳴空間を複数個形成して、所定周波数域の燃焼音を共振させることにより、外部に洩れる燃焼音を低減させるものである。
さらに、実開平７−３２３４５号公報に記載されたものは、繊維状物から成る環状吸音材を複数枚重ねて設け、その内孔に共振筒を挿入してその外面を環状吸音材の内孔に接触させるとともに、少なくとも１枚の環状吸音材の内孔の径を、他のものよりも大きくして、該環状吸音材の内孔と共振筒の外面との間に環状の空間を形成することにより、環状吸音材の吸音作用に加え、共振筒の振動による共振作用によって消音効果を得るものである。
【０００４】
【発明が解決しようとする課題】
しかしながら、上記従来の燃焼器用消音装置においては、以下に述べるような問題があった。
吸音プラスチック等の吸音材を用いたものは、吸音効果が吸音材の材質、大きさによる消音効果が定まるとともに、消音特性を向上させるには吸音材の材質を改善し、サイズを大きくしなくてはならず、従来の燃焼器の消音特性を向上させることが困難であるという問題があった。
また、吸音材を用いたものは、騒音の高周波成分に対する吸音特性は優れているが、低周波成分に対する吸音特性が劣るという問題があった。
さらに、共鳴室を設けたものは、吸音特性が優れている周波数の帯域が狭いという問題があった。
【０００５】
本発明の目的は、従来の排煙路に設けることができるとともに、騒音低減効果が高い燃焼器用消音装置を提供することである。
【０００６】
【課題を解決するための手段】
上記目的を達成するために本発明の燃焼器用消音装置は、周壁に吸音材が配設され、かつこの吸音材を貫通して上下方向に延びる排気通路を有する消音排気筒と、共鳴孔を有する共鳴室と、を備えている、燃焼器用消音装置であって、前記共鳴室は、前記吸音材の内部に形成されて、前記排気通路と略平行に上下方向に延びて形成されており、かつ前記共鳴孔は、前記共鳴室の下端に繋がって前記排気通路と略平行に上下方向に延びていることにより前記排気通路に連通している。このことにより、消音排気筒を従来の排気筒と同じ寸法とすることができる。また、周波数の高い帯域で消音効果の高い吸音材と、周波数の低い帯域で消音効果の高い共鳴室とを設けたことにより、広い帯域での消音効果を得ることができる。また、共鳴室の内壁を多孔板で形成することにより、共鳴室内を吸音材で内張りしたものと同様の効果を有して吸音効率を高めることができる。さらに、本発明の燃焼器用消音装置は、周壁に吸音材が配設され、かつこの吸音材を貫通して上下方向に延びる排気通路を有する消音排気筒と、共鳴孔を有する共鳴室と、を備えている、燃焼器用消音装置であって、前記共鳴室としては、大きさの異なる複数の共鳴室があり、これら複数の共鳴室は、前記消音排気筒の外側に上下方向に並ぶようにして設けられており、前記複数の共鳴室の共鳴孔は、それら複数の共鳴室から水平方向に延びて前記排気通路に連通している。このことにより、各共鳴室が吸音効果を示す周波数帯域はそれぞれ異なり、広い周波数帯域での高い吸音効果を得ることができる。また、各共鳴室に開口する共鳴孔の大きさ、個数を変化させることでさらに広い周波数帯域の吸音効果を得ることができる。さらに、消音排気筒の外側に複数の共鳴室を設けることにより、共鳴室の側の寸法のみが大きくなるが、それに直交する方向には寸法が変わらないものであるから、従来構造の排気筒の寸法を大きく変えることなく、共鳴効果を高めることができる。
【０００７】
【発明の実施の形態】
図を参照して本発明の実施例を説明する。
図３において、本発明を適用する給湯器の一例について説明する。
燃焼ファン２を有する下方燃料噴射型オイル燃焼器１が、缶体３の上端に下方に向けて配設され、該缶体３には螺旋状の水管４が配設されている。
缶体３の下端には箱状の排気集合部５が連通して配設され、排気集合部５の上部に缶体３と並んで消音排気筒６が立設され、消音排気筒６の上端に排気口７が開設されている。
【０００８】
図４に示すように、排気集合部５の周壁には消音断熱材５１が配設され、排気集合部５の内部には缶体３の燃焼ガス通路に対向して未燃焼オイルや水滴を受ける受けパン８が設けられており、受けパン８の上部に複数の孔が穿設された分流板が配設され、受けパン８の周壁には排気通孔８１が穿設されている。この構成により、燃焼ガス中の未燃焼オイルや水滴を除去して排出することができる。
【０００９】
図１において、消音排気筒６は、内部に吸音材６０が充填されており、吸音材６０を貫通して設けられ、上部の排気口７と下部の排気集合部５に上下端が連通する排気通路６１が配設されており、該排気通路６１と略平行に延びる盲穴として形成された共鳴室９が吸音材６０内に形成されている。
共鳴室９は、パンチングメタル１１で形成され、その下端に排気集合部５に連通する共鳴孔１０が穿設されている。
【００１０】
この構成によると、共鳴室９は、周囲に吸音材６０が配置されるとともに、パンチングメタル１１で形成されているから、共鳴室９内を吸音材で内張りしたものと同様の効果を有して吸音効率を高めることができる。
また、周波数の高い帯域で消音効果の高い吸音材６０と、周波数の低い帯域で消音効果の高い共鳴室９とを設けたことにより、広い帯域での消音効果を得ることができる。
また、共鳴室９は、排気通路６１と略平行に形成されるとともに、下端に排気集合部５に連通する共鳴孔１０が穿設されているから、消音排気筒６を従来の排気筒と同じ寸法とすることができる。
【００１１】
図２を参照して異なる実施例について説明する。
消音排気筒６は、内部に吸音材６０が充填されており、吸音材６０を貫通して設けられ、上部の排気口７と下部の排気集合部５に上下端が連通する排気通路６１が配設されており、消音排気筒６の外側に、排気通路６１と平行に複数の大きさが異なる共鳴室１２Ａ〜１２Ｅが、消音排気筒６に沿って配設され、各共鳴室１２Ａ〜１２Ｅに排気通路６１にそれぞれ連通する共鳴孔１３Ａ〜１３Ｅが開通される。
【００１２】
この構成によると、各共鳴室が吸音効果を示す周波数帯域はそれぞれ異なり、且つ狭いものであるが、複数の大きさが異なる共鳴室１２Ａ〜１２Ｅが配設されていることにより、より広い周波数帯域での高い吸音効果を得ることができる。また、各共鳴室に開口する共鳴孔の大きさ、個数を変化させることでさらに広い周波数帯域の吸音効果を得ることができる。
さらに、消音排気筒６の外側に複数の共鳴室を設けることにより、共鳴室の側の寸法のみが大きくなるが、それに直交する方向には寸法が変わらないものであるから、従来構造の排気筒の寸法を大きく変えることなく、共鳴効果を高めることができる。
【００１３】
なお、上記実施例としては、逆燃式の給湯器に適用したものについてのみ述べているが、燃焼器を下方に配置したものであっても良く、また、ガス燃焼器であっても良いものである。
【００１４】
【発明の効果】
本発明は、上述のとおり構成されているから次に述べる効果を奏する。
周壁に吸音材が配設され、吸音材を貫通する排気通路を有する消音排気筒において、排気通路に略平行に延びる共鳴室を吸音材の内部に設け、該共鳴室の下端に排気通路に連通する共鳴孔を設けたことにより、消音排気筒を従来の排気筒と同じ寸法とすることができる。
また、周波数の高い帯域で消音効果の高い吸音材と、周波数の低い帯域で消音効果の高い共鳴室とを設けたことにより、広い帯域での消音効果を得ることができる。
また、共鳴室の内壁を多孔板で形成することにより、共鳴室内を吸音材で内張りしたものと同様の効果を有して吸音効率を高めることができる。
さらに、周壁に吸音材が配設され、吸音材を貫通する排気通路を有する消音排気筒において、排気筒の外側に、大きさの異なる複数の共鳴室を設け、各共鳴室が、それぞれ排気通路に連通する共鳴孔を設けることにより、各共鳴室が吸音効果を示す周波数帯域はそれぞれ異なり、且つ狭いものであるが、複数の大きさが異なる共鳴室が配設されていることにより、より広い周波数帯域での高い吸音効果を得ることができる。
また、各共鳴室に開口する共鳴孔の大きさ、個数を変化させることでさらに広い周波数帯域の吸音効果を得ることができる。
【図面の簡単な説明】
【図１】  本発明の実施例を示す図３のＩ−Ｉ線断面図である。
【図２】  本発明の異なる実施例を示す断面図である。
【図３】  本発明を適用する給湯器の概略構成図である。
【図４】  本発明を適用する給湯器の要部拡大図である。
【符号の説明】
１  下方燃料噴射型オイル燃焼器、２  燃焼ファン、３  缶体、４  水管
５  排気集合部、６  消音排気筒、７  排気口、８  吸音材、９  共鳴室
１０  共鳴孔、１１  パンチングメタル
【図１】
0003687268.tif 000002
【図２】
0003687268.tif 000003
【図３】
0003687268.tif 000004
【図４】
0003687268.tif 000005